(57)【要約】【課題】機構的な制約を伴うことなく、ロジック的に、対向電極の周波数を制御することにより、音鳴りを従来よりも減らした液晶表示装置を提供する。【解決手段】互いに直交する複数のデータ信号線ＳＬと複数の走査信号線ＧＬとの各交点に、画素電極９と対向電極８とを有する画素を備え、上記複数のデータ信号線ＳＬが、連続して配される一組のデータ信号線ＲＳＬ・ＧＳＬ・ＢＳＬごとに分けられており、一水平走査期間内に一組のデータ信号線ＲＳＬ・ＧＳＬ・ＢＳＬを構成するデータ信号線が順に選択される液晶表示装置において、データ信号線ＳＬの選択／非選択のタイミングに同期して、対向電極８の極性および画素電極９の極性が反転している。【選択図】図３
2007156336.tif 000002
【特許請求の範囲】
【請求項１】
互いに直交する複数のデータ信号線と複数の走査信号線との各交点に、画素電極と対向電極とを有する画素を備え、
上記複数のデータ信号線が、連続して配される一組のデータ信号線ごとに分けられており、一水平走査期間内に上記一組のデータ信号線を構成するデータ信号線が順に選択される液晶表示装置の駆動方法において、
上記データ信号線の選択／非選択のタイミングに同期して、対向電極の極性および画素電極の極性が反転することを特徴とする液晶表示装置の駆動方法。
【請求項２】
互いに直交する複数のデータ信号線と複数の走査信号線との各交点に、画素電極と対向電極とを有する画素を備え、
上記複数のデータ信号線が、連続して配される一組のデータ信号線ごとに分けられており、一水平走査期間内に上記一組のデータ信号線を構成するデータ信号線が順に選択される液晶表示装置において、
上記データ信号線の選択／非選択のタイミングに同期して、対向電極の極性および画素電極の極性が反転することを特徴とする液晶表示装置。
【請求項３】
上記データ信号線が順に選択されることにより、一水平走査期間が複数の分割期間に分割され、上記分割期間ごとに対向電極の極性および画素電極の極性が反転することを特徴とする液晶表示装置。
【請求項４】
上記データ信号線の選択／非選択を行なうスイッチを、上記一組のデータ信号線ごとに備えていることを特徴とする請求項１または２に記載の液晶表示装置。
【請求項５】
上記一組のデータ信号線は、表示色を構成するための３原色のそれぞれに対応した３つのデータ信号線であることを特徴とする請求項１ないし３のいずれか１項に記載の液晶表示装置。
【請求項６】
さらに、上記データ信号の選択／非選択を制御するタイミング信号を生成するタイミング信号生成手段と、上記対向電極の極性を反転させる対向電極極性反転手段とを備えており、
上記タイミング信号生成手段は、上記タイミング信号を上記対向電極極性反転手段に送る一方、この対向電極極性反転手段は、受け取ったタイミング信号に基づいて、上記対向電極の極性を反転させることを特徴とする請求項１ないし４のいずれか１項に記載の液晶表示装置。
【請求項７】
隣り合う走査信号線では、これらの走査信号線に接続された画素の対向電極の極性および画素電極の極性が異なっていることを特徴とする請求項１ないし５のいずれか１項に記載の液晶表示装置。
【請求項８】
一垂直走査期間毎に、上記対向電極の極性および上記画素電極の極性が異なっていることを特徴とする請求項１ないし６のいずれか１項に記載の液晶表示装置。
【発明の詳細な説明】
【技術分野】
【０００１】
本発明は、液晶表示装置およびその駆動方法に関し、特に、１Ｈ期間内に、ソース信号を時分割して出力する駆動方法を利用した液晶表示装置およびその駆動方法に関するものである。
【背景技術】
【０００２】
従来、液晶表示装置の駆動方法として、１ライン反転駆動が用いられている。この１ライン反転駆動は、図１２に示すように、１Ｈ毎に対向電極の極性を反転させる駆動方法である。なお、同図において、ＨＳＹＮＣは、水平同期信号を示している。また、対向電極を、水平同期信号の入力をトリガとして、その極性が反転させることにより駆動させている。
【０００３】
この駆動方法では、対向電極反転周期は、同図に示すように、２Ｈとなる。対向電極に電荷が蓄積され、この電荷が＋，−を繰り返すことにより、液晶パネル表面にかぶっているプラスチック板（表示板，アクリル板）に、クーロン力が働き、このプラスチック板が振動し、音鳴りが生じる。この音鳴り周波数が、人間の耳に聞こえる周波数の場合、異音して問題となることがある。
【０００４】
これに対して、特許文献１および２では、圧電トランスインバータを用いて対向電極の周波数を制御することにより音鳴りを防止している。また、特許文献３では、対向電極に蓄積された電荷量を機構系の工夫を行なうことにより、対向電極に蓄積する電荷を０．５ｎＣ分減らす技術について開示されている。
【特許文献１】特開平１０−６６３５３号公報（平成１０年３月６日  公開）
【特許文献２】特開２０００−２９５８５８号公報（平成１２年１０月２０日  公開）
【特許文献３】特開２０００−９８３８１号公報（平成１２年４月７日  公開）
【特許文献４】特開２００３−１７９９８８号公報（平成１５年６月２７日  公開）
【発明の開示】
【発明が解決しようとする課題】
【０００５】
しかしながら、上記の特許文献１・２では、わざわざ圧電トランスインバータを用いる必要があり、ロジック的に周波数を制御することが望まれている。また、特許文献３では、機構的な制約を伴うという問題がある。
【０００６】
本発明は、上記の問題点に鑑みてなされたものであり、その目的は、機構的な制約を伴うことなく、ロジック的に、対向電極の周波数を制御することにより、音鳴り周波数を従来よりも高くする液晶表示装置およびその駆動方法を提供することにある。
【課題を解決するための手段】
【０００７】
本発明の液晶表示装置の駆動方法は、上記課題を解決するために、互いに直交する複数のデータ信号線と複数の走査信号線との各交点に、画素電極と対向電極とを有する画素を備え、上記複数のデータ信号線が、連続して配される一組のデータ信号線ごとに分けられており、一水平走査期間内に上記一組のデータ信号線を構成するデータ信号線が順に選択される液晶表示装置の駆動方法において、上記データ信号線の選択／非選択のタイミングに同期して、対向電極の極性および画素電極の極性が反転することを特徴としている。
【０００８】
また、本発明の液晶表示装置は、上記課題を解決するために、互いに直交する複数のデータ信号線と複数の走査信号線との各交点に、画素電極と対向電極とを有する画素を備え、上記複数のデータ信号線が、連続して配される一組のデータ信号線ごとに分けられており、一水平走査期間内に上記一組のデータ信号線を構成するデータ信号線が順に選択される液晶表示装置において、上記データ信号線の選択／非選択のタイミングに同期して、対向電極の極性および画素電極の極性が反転することを特徴としている。
【０００９】
上記の液晶表示装置は、複数のデータ信号線を、連続して配される一組のデータ信号線ごとに分け、一水平走査期間内に、一組のデータ信号線を構成するデータ信号線を順に選択している。
【００１０】
この駆動方法では、データ信号線を順に選択するため、液晶表示装置内に、この選択および非選択のタイミングが生成される。上記構成によれば、これらのタイミングに同期して、対向電極の極性および画素電極の極性を反転させている。
【００１１】
それゆえ、従来は一水平走査期間ごとに極性を反転させていた対向電極の極性の周期を、一水平走査期間よりも小さくすることができる。そのため、音鳴り周波数を従来よりも高く設定することができる。
【００１２】
さらに、上記構成では、単にデータ信号線の選択／非選択のタイミングを利用するだけであるので、機構的な制約を伴うことなく、ロジック的に、対向電極の周波数を制御することができる。また、ライン反転駆動よりも、対向電極の極性反転周波数が高い為に、クロストーク・フリッカーといった表示品位に優位である。ドット反転駆動よりも、対向電極の極性反転周波数が小さい為、低消費電流化か可能である。
【００１３】
また、本発明の液晶表示装置では、上記データ信号線が順に選択されることにより、一水平走査期間が複数の分割期間に分割され、上記分割期間ごとに対向電極の極性および画素電極の極性が反転することが好ましい。
【００１４】
また、本発明の液晶表示装置では、上記データ信号線の選択／非選択を行なうスイッチを、上記一組のデータ信号線ごとに備えていることが好ましい。上記構成によれば、データ信号線の選択をスイッチにて行なっているため、簡単な構成にて、データ信号線の選択／非選択を行なうことができる。
【００１５】
また、上記一組のデータ信号線は、表示色を構成するための３原色のそれぞれに対応した３つのデータ信号線であることが好ましい。
【００１６】
また、本発明の液晶表示装置では、さらに、上記データ信号の選択／非選択を制御するタイミング信号を生成するタイミング信号生成手段と、上記対向電極の極性を反転させる対向電極極性反転手段とを備えており、上記タイミング信号生成手段は、上記タイミング信号を上記対向電極極性反転手段に送る一方、この対向電極極性反転手段は、受け取ったタイミング信号に基づいて、上記対向電極の極性を反転させることが好ましい。
【００１７】
上記構成によれば、タイミング信号生成手段にて生成され、もともとデータ信号線の切り替えに利用していたタイミング信号を対向電極の極性を反転させていた対向電極極性反転手段にも送っている。そして、対向電極極性反転手段はこのタイミング信号を用いて対向電極の極性を反転させている。従って、もともと用いていたタイミング信号を利用するだけで、対向電極の極性を反転させることができる。
【００１８】
また、本発明の液晶表示装置では、隣り合う走査信号線では、これらの走査信号線に接続された画素の対向電極の極性および画素電極の極性が異なっていることが好ましい。
【００１９】
上記構成によれば、隣り合う走査信号線では、これらの走査信号線に接続された画素の対向電極の極性および画素電極の極性が異なっている。そのため、走査信号線ごとに画素電極の極性が異なるため、極性の違いによる表示ムラが画面全体で均一化され、表示品位が向上する。
【００２０】
また、液晶表示装置では、一垂直走査期間毎に、上記対向電極の極性および上記画素電極の極性が異なっていることが好ましい。
【発明の効果】
【００２１】
本発明の液晶表示装置およびその駆動方法は、以上のように、互いに直交する複数のデータ信号線と複数の走査信号線との各交点に、画素電極と対向電極とを有する画素を備え、上記複数のデータ信号線が、連続して配される一組のデータ信号線ごとに分けられており、一水平走査期間内に上記一組のデータ信号線を構成するデータ信号線が順に選択される液晶表示装置の駆動方法において、上記データ信号線の選択／非選択のタイミングに同期して、対向電極の極性および画素電極の極性が反転している。従って、機構的な制約を伴うことなく、ロジック的に、対向電極の周波数を制御することにより、音鳴りを従来よりも減らすことができる。
【発明を実施するための最良の形態】
【００２２】
〔液晶表示装置の構成〕
本発明の一実施の形態について図面を用いて説明する。
【００２３】
本実施の形態の液晶表示装置は、図２に示すように、液晶パネル１と、データ信号線駆動回路２と、走査信号線駆動回路３と、を備えている。液晶パネル１は、距離を隔てて平行に対向配列されたマトリクス基板４と、対向基板５との２枚の透明基板から成っており、これら両基板４・５間に液晶が充填されている。また、マトリクス基板４には、画素電極（図３参照）が設けられている一方、対向基板５には、対向電極８が設けられている。
【００２４】
マトリクス基板４は、図３に示すように、互いに直交する、複数の走査信号線（ゲートバスライン）ＧＬと、複数のデータ信号線（ソースバスライン）ＲＳＬ・ＧＳＬ・ＢＳＬ（ＳＬ）と、を有している。本実施の形態の液晶表示装置の駆動方法は、１水平走査期間にソース信号を３分割して出力する駆動方法である。この液晶表示装置の駆動方法は、複数のデータ信号線から成る組（本実施の形態では、３つのデータ信号線ＲＳＬ・ＧＳＬ・ＢＳＬ）を、該複数のデータ信号線に共通の出力回路（後述）で駆動する駆動方法である。それゆえ、データ信号線ＳＬは、連続して配される一組のデータ信号線ＲＳＬ・ＧＳＬ・ＢＳＬごとに分けられている。
【００２５】
さらに、走査信号線ＧＬとデータ信号線ＲＳＬとの交点、走査信号線ＧＬとデータ信号線ＧＳＬとの交点、および走査信号線ＧＬとデータ信号線ＢＳＬとの交点には、それぞれ、Ｒ画素ＰＩＸ、Ｇ画素ＰＩＸ、またはＢ画素ＰＩＸが設けられており、これらの画素ＰＩＸが２次元配置されて、画素部１９が形成されている。
【００２６】
より詳細には、走査信号線ＧＬとデータ信号線ＲＳＬとの交点には、「Ｒ画素ＰＩＸ」が設けられており、走査信号線ＧＬとデータ信号線ＧＳＬとの交点には、「Ｇ画素ＰＩＸ」が設けられており、走査信号線ＧＬとデータ信号線ＢＳＬとの交点には「Ｂ画素ＰＩＸ」が設けられている。なお、Ｒ、Ｇ、およびＢは、表示色を構成するための３原色を表している。
【００２７】
Ｒ画素ＰＩＸ、Ｇ画素ＰＩＸ、およびＢ画素ＰＩＸは、それぞれ、図３に示すように、ＴＦＴ６、液晶容量７、対向電極８、および画素電極９を備えている。ＴＦＴ６は、Ｒ画素ＰＩＸ、Ｇ画素ＰＩＸ、およびＢ画素ＰＩＸのスイッチング素子としての役割を有している。ＴＦＴ６のソースは、データ信号線ＲＳＬ・ＧＳＬ・ＢＳＬのいずれかと接続されている一方、ＴＦＴ６のドレインは、液晶容量７と接続されている。つまり、液晶容量７は、ＴＦＴ６を介して、データ信号線ＲＳＬ・ＧＳＬ・ＢＳＬのいずれかと接続されている。また、ＴＦＴ６のゲートは、走査信号線ＧＬに接続されている。走査信号線ＧＬから供給される走査信号にて、ＴＦＴ６のゲートの開閉が選択され、データ信号線ＲＳＬ・ＧＳＬ・ＢＳＬと、液晶容量７との接続／非接続が切り替え可能となっている。また、液晶容量７におけるＴＦＴ６側の画素電極９と対向する、対向基板５に設けられた対向電極８は、コモン電極となっている。
【００２８】
また、図３に示すように、液晶表示装置における、一組のデータ信号線ＲＳＬ・ＧＳＬ・ＢＳＬの上流側には、アナログスイッチ（スイッチ）ＳＷが設けられている。つまり、Ｒ画素ＰＩＸ、Ｇ画素ＰＩＸ、およびＢ画素ＰＩＸの３つの画素ＰＩＸに１つのスイッチＳＷが割り当てられている。さらに、換言すれば、連続して配される一組のデータ信号線ＲＳＬ・ＧＳＬ・ＢＳＬに対して１つのスイッチＳＷが割り当てられている。
【００２９】
このスイッチＳＷは、後述するタイミング信号生成部１４（図２参照）からのタイミング信号により、ＲＳＬ、ＧＳＬ、およびＢＳＬの順で、データ信号線を選択し、データ信号線と、データ信号線駆動回路２との接続を順次切り替えている。つまり、スイッチＳＷは、データ信号線駆動回路２の出力回路１０からデータ信号線ＳＬへのデータの供給をＲＳＬ・ＧＳＬ・ＢＳＬの順番に切り替える、データ信号線の切り替えスイッチとなっている。なお、ここでは、出力回路１０からデータ信号線ＳＬへのデータの供給をＲＳＬ・ＧＳＬ・ＢＳＬの順番に切り替える、としているが、これは単なる一例にすぎず、ＲＳＬ、ＧＳＬ、ＢＳＬの順番は問わない。
【００３０】
データ信号線駆動回路２は、図２に示すように、出力回路１０と、タイミング信号生成部（タイミング信号生成手段）１４と、対向電極極性反転部（対向電極極性反転手段）１５と、を有している。出力回路１０は、図２に示すように、複数の（例えば１２０本の）元データ信号線を有しており、映像データを液晶パネル１へ供給する役割を有している。
なお、図３から分かる通り、この元データ信号線の本数は、上記したデータ信号線ＲＳＬ・ＧＳＬ・ＢＳＬの合計本数の１／３となっている。タイミング信号生成部１４は、画素選択信号（タイミング信号）をスイッチＳＷに送り、スイッチＳＷをＲ、Ｇ、Ｂ間で、順次、切り替える役割を有している。なお、繰り返しになるが、スイッチＳＷの切り替えは、Ｒ，Ｇ，Ｂの順に限らず、Ｇ、Ｒ、Ｂなど、どのような順でもよい。
【００３１】
特に、本実施の形態では、タイミング信号生成部１４は、このタイミング信号を出力回路１０および対向電極極性反転部１５にも供給するようになっている。対向電極極性反転部１５は、タイミング信号を受け取り、スイッチＳＷの切り替えのタイミング（の全部または一部）に同期して、対向電極８の極性を反転させるようになっている。
【００３２】
ところで、液晶に電圧を書き込むためには、液晶の両側から電圧を印加する（液晶を充電する）必要がある。つまり、２つの信号線が必要であり、これら両方の信号線を流れる信号の極性を反転させる必要がある。そのため、図４に示すように、各画素ＰＩＸには、対向電極信号線とＲＧＢ信号線とが設けられており、対向電極８の極性の反転に合わせて、出力回路１０からの出力（ＲＧＢ信号）の極性（画素電極９の極性）も、受け取ったタイミング信号に基づいて反転するようになっている。
【００３３】
〔液晶表示装置の動作〕
次に、タイミング信号生成部１４の動作について図５を用いて説明する。
【００３４】
ここでは、ある水平同期信号の入力時刻（ｔ０）から次の水平同期信号の入力時刻（ｔ７）までの一水平走査期間におけるタイミング信号生成部１４の動作について説明する。なお、タイミング信号生成部１４は、同様の動作が一水平走査期間毎に繰り返される。
【００３５】
タイミング信号生成部１４は、水平同期信号の入力をトリガとして、水平同期信号の入力から所定時間経過した、ｔ１において、ＲＳＷ＿Ｏが「ハイレベル（Ｈ）；データ信号線の選択」なり、ｔ２（＞ｔ１）においてＲＳＷ＿Ｏが「ローレベル（Ｌ）；データ信号線の非選択」となるように、スイッチＳＷに対してＲ画素選択信号（タイミング信号）を供給する。これにより、ｔ１〜ｔ２において、スイッチＳＷによってデータ信号線ＲＳＬが選択されて、出力回路１０からの映像データがＲ画素ＰＩＸに入力され、Ｒ画素ＰＩＸに液晶が充電される。
【００３６】
その後、タイミング信号生成部１４は、ｔ３においてＧＳＷ＿Ｏが「Ｈ」となり、ｔ４（＞ｔ３）においてＧＳＷ＿Ｏが「Ｌ」となるように、Ｇ画素選択信号（タイミング信号）をスイッチＳＷに供給する。これにより、ｔ３〜ｔ４において、スイッチＳＷによってデータ信号線ＧＳＬが選択されて、出力回路１０からの映像データがＧ画素ＰＩＸに供給され、Ｇ画素ＰＩＸに液晶が充電される。
【００３７】
さらに、タイミング信号生成部１４は、ｔ５においてＢＳＷ＿Ｏが「Ｈ」となり、ｔ６（＞ｔ５）においてＢＳＷ＿Ｏが「Ｌ」となるように、Ｂ画素選択信号（タイミング信号）をスイッチＳＷに供給する。これにより、ｔ５〜ｔ６において、スイッチＳＷによってデータ信号線ＢＳＬが選択されて、出力回路１０からのデータがＢ画素ＰＩＸに供給され、Ｂ画素ＰＩＸに液晶が充電される。
【００３８】
このような、タイミング信号生成部１４からのタイミング信号によって、水平走査期間が、Ａ期間（ｔ０〜ｔ１）、Ｂ期間（ｔ１〜ｔ２）、Ｃ期間（ｔ２〜ｔ３）、Ｄ期間（ｔ３〜ｔ４）、Ｅ期間（ｔ４〜ｔ５）、Ｆ期間（ｔ５〜ｔ６）、およびＧ期間（ｔ６〜ｔ７）の７つの期間（分割期間）に分けられる。さらに、タイミング信号生成部１４は、上記のタイミング信号をスイッチＳＷだけでなく、対向電極極性反転部１５および出力回路１０にも送る。なお、ｔ１、ｔ３、ｔ５がデータ信号線の選択のタイミングであり、ｔ２、ｔ４、ｔ６がデータ信号線の非選択のタイミングである。
【００３９】
次に、対向電極極性反転部１５の動作について、図１を用いて説明する。
【００４０】
図１において、ＨＳＹＮＣは水平同期信号を示している。また、ＳＷにおいてハッチングを付した部分（ＲＳＷ、ＧＳＷ、ＢＳＷ）は、上記の図５において、ＲＳＷ＿Ｏが「Ｈ」となる期間、ＧＳＷ＿Ｏが「Ｈ」となる期間、ＢＳＷ＿Ｏが「Ｈ」となる期間を示している。
【００４１】
ここで、特に、本実施の形態の対向電極極性反転部１５は、対向電極８に対して、極性反転信号を送り、対向電極８の極性を反転させる役割を有している。この極性反転信号は、タイミング信号生成部１４から受け取ったタイミング信号に基づいて生成される。ここでは、一例として、上記のｔ１のタイミング（データ信号線の選択のタイミング）、ｔ３のタイミング（データ信号線の選択のタイミング）、ｔ５のタイミング（データ信号線の選択のタイミング）に同期させて、対向電極８の極性を反転させる極性反転信号を生成し、対向電極８に供給して、この極性反転信号に基づいて、対向電極８の極性を反転させている。これにより、図１に示すように、音鳴り周期（対向電極の反転周期）を従来の１／３程度にすることができる。つまり、音鳴り周波数を従来の３倍程度高くすることができる。具体的には、周波数を可聴範囲である周波数１１．７ＫＨｚから３５．２ＫＨｚへと変えることができる。
【００４２】
それゆえ、対向電極の反転周期を人間の可聴範囲を超える周期とすることができる。また、本実施の形態の駆動は、いわゆるライン反転駆動よりも対向電極の極性反転周波数が高いため、クロストーク・フリッカーといった表示品位に優位である。また、本実施の形態の駆動は、いわゆるドット反転駆動よりも対向電極の極性反転周波数が小さいため、低消費電力化が可能となる。
【００４３】
また、上記したように、液晶に電圧を書き込むためには、液晶の両側から電圧を印加する必要があるため、本実施の形態では、例えば、表示画面が“白表示”しているときのソース出力（全白）レベルは、図１に示すように、ｔ１、ｔ３、ｔ５においてその「＋」と「−」とを切り替えている（図６（ａ）参照）。つまり、ｔ１、ｔ３、ｔ５において、画素電極９の極性を切り替えている。すなわち、対向電極８の極性の反転に合わせて、映像データの極性（画素電極９の極性）も反転するようになっている。
【００４４】
また、例えば、表示画面が“黒表示”しているときのソース（全黒）レベルも同様に、図１に示すように、ｔ１、ｔ３、ｔ５においてその「＋」と「−」とを切り替えている（図６（ｂ）参照）。
【００４５】
さらに、また、図１に示すように、隣り合う走査信号線（ＧＬｎとＧＬｎ＋１）に接続された画素ＰＩＸ同士では、互いに、対向電極８の極性および画素電極９の極性が異なるようになっていることが好ましい。ここでは、水平走査期間（ｔ０〜ｔ７）における対向電極８の極性と、次の水平走査期間（ｔ７〜ｔ１４）における対向電極８の極性とが互いに反転している。つまり、１走査信号線（１ゲートライン）毎に、対向電極８の極性および映像データの極性（画素電極９の極性）を変えることが好ましい。
【００４６】
しかしながら、これに限定されず、図７に示すように、２ゲートライン毎に、対向電極８の極性および画素電極９の極性が異なるようにしてもよい。この場合は、同図に示すように、走査信号線ＧＬｎ・ＧＬｎ＋１における対向電極８の極性および画素電極９の極性が互いに等しくなっており、走査信号線ＧＬｎ＋２・ＧＬｎ＋３（不図示）において、対向電極８の極性および画素電極９の極性が反転している。
【００４７】
また、図８に示すように、次の１Ｖでは、対向電極８の極性および映像データの極性が異なるようになっていることが好ましい。つまり、１Ｖごとに、対向電極８の極性および映像データの極性が異なるようになっていることが好ましい。
【００４８】
上記では、対向電極極性反転部１５は、図１に示すように、ｔ１、ｔ３、ｔ５（ｔ８、ｔ１０、ｔ１２）において、対向電極８の極性を反転させている。ところが、これに限らず、図９に示すように、ｔ１、ｔ３（ｔ８、ｔ１０）において対向電極８の極性を反転させてもよいし、図１０に示すように、ｔ１、ｔ５（ｔ８、ｔ１２）において対向電極８の極性を反転させてもよい。なお、図１１（ａ）（ｂ）は、図１０に示すような駆動方法における画素電荷極性を示している。これら場合は、音鳴り周期（対向電極８の反転周期）を従来の１／２にすることができ、同様に、対向電極８の反転周期を人間の可聴範囲を超える周期とすることができる。なお、図示しないが、ｔ３、ｔ５において対向電極８の極性を反転させてもよい。
【００４９】
また、上記した通り、タイミング信号生成部１４の動作によって、水平走査期間を７つの期間（Ａ期間〜Ｇ期間）に分けることができる。
【００５０】
そして、対向電極８の極性は、全ての期間において「Ｈ」、または「Ｌ」のいずれかになるので、対向電極８の極性のパターンは、
「Ｈ，Ｈ，Ｈ，Ｈ，Ｈ，Ｈ，Ｈ」
「Ｈ，Ｈ，Ｈ，Ｈ，Ｈ，Ｈ，Ｌ」
「Ｈ，Ｈ，Ｈ，Ｈ，Ｈ，Ｌ，Ｌ」
・・・
「Ｈ，Ｈ，Ｌ，Ｌ，Ｌ，Ｌ，Ｌ」
「Ｈ，Ｌ，Ｌ，Ｌ，Ｌ，Ｌ，Ｌ」
「Ｌ，Ｌ，Ｌ，Ｌ，Ｌ，Ｌ，Ｌ」
の１２８パターンある。ところが、対向電極８の極性が全て「Ｈ」となる場合、または、全て「Ｌ」となる場合には、ライン反転駆動と同一になるため、これらは本実施の形態からは除かれ、１２８−２＝１２６通りとなる。
【００５１】
また、上記では、対向電極の極性反転をｔ１、ｔ３、ｔ５にて行なっていた。つまり、ＲＳＷ＿Ｏ、ＧＳＷ＿Ｏ、またはＢＳＷ＿Ｏが「Ｈ」となるタイミングで、対向電極の極性反転を行なっていた。しかしながら、これに限らず、ＲＳＷ＿Ｏ、ＧＳＷ＿Ｏ、またはＢＳＷ＿Ｏが「Ｌ」となるタイミング（データ信号線の非選択のタイミング）で対向電極８の極性反転を行なってもよい。つまり、「一水平走査期間中に、ＳＳＤ駆動に用いる、スイッチＳＷのＯＮ／ＯＦＦの切り替えの（少なくともいずれか１つの）タイミングに同期して、対向電極８の極性および画素電極９の極性を反転させること」が本発明の技術思想である。これにより、対向電極の反転周期を従来よりも小さくすることができる。そのため、可聴領域より高い周波数に対向周波数を容易にもっていくことができる。
【００５２】
また、本実施の形態では、１水平走査期間（水平期間）を３分割する場合ついて説明したが、６分割、９分割でもよい。
【００５３】
また、本実施の形態の液晶表示装置の駆動方法は、ドット反転駆動時と対向電極極性反転周期が異なる。一般的なドット反転駆動は、対向電極はＤＣとなり反転周期はない。ドット反転駆動では、代わりにＲＧＢ信号線が１ＤＯＴＣＬＫごとに極性が反転する。それにより、液晶充放電電流（Ｉ＝ｆｃｌＶ）のｆが１ＤＯＴＣＬＫとなり、消費電流が本実施の形態よりも高くなる。本実施の形態では、ＲＧＢ信号線および対向電極信号線の反転周期が、１／２倍、１／３倍程度であり、一般的なドット反転駆動よりも短い。
【００５４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５５】
本発明の液晶表示装置およびその駆動方法は、携帯電話またはＰＤＡに特に好適に利用することができる。
【図面の簡単な説明】
【００５６】
【図１】本発明の実施形態を示すものであり、対向電極の極性を示すタイミングチャートである。
【図２】本発明の実施形態を示すものであり、液晶表示装置の概略構成を示すブロック図である。
【図３】本発明の実施形態を示すものであり、マトリクス基板上の構成を示す説明図である。
【図４】本発明の実施形態を示すものであり、一画素を拡大して示す説明図である。
【図５】本発明の実施形態を示すものであり、ＳＳＤ駆動方法におけるスイッチの動作を示すタイミングチャートである。
【図６】本発明の実施形態を示すものであり、（ａ）（ｂ）は、図１に示すタイミングチャートにおける画素電荷極性を示すテーブルである。
【図７】本発明の実施形態を示すものであり、２Ｈごとに対向電極の極性を反転させた場合を示すタイミングチャートである。
【図８】本発明の実施形態を示すものであり、１Ｖごとに対向電極の極性を反転させた場合を示すタイミングチャートである。
【図９】本発明の実施形態を示すものであり、対向電極の極性反転周期を１／２にすることができる場合のタイミングチャートである。
【図１０】本発明の実施形態を示すものであり、図９とは異なる例を示すタイミングチャートである。
【図１１】本発明の実施形態を示すものであり、（ａ）（ｂ）は、図１０に示すタイミングチャートにおける画素電荷極性を示すテーブルである。
【図１２】従来技術を示すものであり、対向電極の極性を示すタイミングチャートである。
【符号の説明】
【００５７】
８      対向電極
９      画素電極
１４    タイミング信号生成部（タイミング信号生成手段）
１５    対向電極極性反転部（対向電極極性反転手段）
ＧＬ    走査信号線
ＳＬ    データ信号線
ＲＳＬ  データ信号線
ＧＳＬ  データ信号線
ＢＳＬ  データ信号線
ＳＷ    スイッチ
ＰＩＸ  画素
Ａ      期間（分割期間）
Ｂ      期間（分割期間）
Ｃ      期間（分割期間）
Ｄ      期間（分割期間）
Ｅ      期間（分割期間）
Ｆ      期間（分割期間）
Ｇ      期間（分割期間）
Ｒ      表示色
Ｇ      表示色
Ｂ      表示色
１Ｈ    水平走査期間
１Ｖ    垂直走査期間
【図１】
2007156336.tif 000003
【図２】
2007156336.tif 000004
【図３】
2007156336.tif 000005
【図４】
2007156336.tif 000006
【図５】
2007156336.tif 000007
【図６】
2007156336.tif 000008
【図７】
2007156336.tif 000009
【図８】
2007156336.tif 000010
【図９】
2007156336.tif 000011
【図１０】
2007156336.tif 000012
【図１１】
2007156336.tif 000013
【図１２】
2007156336.tif 000014